(57)【特許請求の範囲】
【請求項１】
台板面に列設した複数の凹溝に被焼成物を傾斜させて支持するための支持板を挿入、保持してなる傾斜支持台であって、前記凹溝が、傾斜角が３５°以下の角度で上方に開いたテーパ状壁面を備えるとともに、そのテーパ状壁面の一方の壁面に支持板の最下端部が当接し、他方の壁面によって前記支持板の裏面を支承させることにより、前記支持板を所定の傾斜角で傾斜させ、かつ自立させて保持するようにしたことを特徴とする傾斜支持台。
【請求項２】
台板面に列設した複数の凹溝に被焼成物を傾斜させて支持するための支持板を挿入、保持してなる傾斜支持台であって、前記凹溝が、傾斜角が３５°以下の角度で上方に開いたテーパ状壁面を備えるとともに、そのテーパ状壁面の一方の壁面に支持板の最下端部が当接し、他方の壁面によって前記支持板の裏面を支承させることにより、前記支持板を所定の傾斜角で傾斜させ、かつ自立させて保持するようにしたことを特徴とする傾斜支持台において、前記凹溝の一方の壁面と挿入された支持板との間に形成される空間に被焼成物の下面を支承可能な上縁部を有する受くさびを嵌合させ、被焼成物の荷重により、その受くさびを下方に押圧するようにしたことを特徴とする傾斜支持台。
【発明の詳細な説明】
【０００１】
【発明の属する技術分野】
本発明は、平板状セラミックを焼成工程において載置するための耐火物製傾斜支持台の改良に関する。
【０００２】
【従来の技術】
従来、平板状セラミック、例えば粘土瓦あるいはセラミックタイルを焼成するときの対象物の載置方法として次の３種類が知られている。先ず、平板状棚板上に平面に載置する方法であるが、これは焼成歪みが少なく品質に優れるが炉内の収容効率に劣る。一方、対象物を垂直に並列させる方法では、収容効率に優れているものの、焼成歪みを防止しにくく品質上適当でない場合がある。また、折衷的方法として対象物を傾斜させて支持しながら並列させる方法がある。
【０００３】
この傾斜、並列させる方法では、図３によりその側面が表されているように、台板１１に所定角度で傾斜させてその脚部を埋め込んでいる支持板１２は、同じく台板１１に立設した支柱１３により補強されて適当数が並列している。そしてこの支持板１２に被焼成物１４を寄り掛からせて傾斜した状態で並列させ、焼成工程に搬入するのである。
【０００４】
このような傾斜支持台の場合には、支持板１２の下部には支柱１３が配置されるので、その支柱１３と隣接する被焼成物１４の下部が干渉することのないように、支持板１２、１２の間隔を広げておく必要があり、焼成ガスなどの還流上必要な最小限の間隔に狭く設定することができず、収容効率の改善に自ずから限度があった。
【０００５】
【発明が解決しようとする課題】
本発明は、上記の問題点を解決するためになされたものであり、支持板の間隔を最小限の間隔に狭く設定することができ、収容効率を改善することが可能となる傾斜支持台を提供する。
【０００６】
【課題を解決するための手段】
上記の問題は、台板面に列設した複数の凹溝に被焼成物を傾斜させて支持するための支持板を挿入、保持してなる傾斜支持台であって、前記凹溝が、傾斜角が３５°以下の角度で上方に開いたテーパ状壁面を備えるとともに、そのテーパ状壁面の一方の壁面に支持板の最下端部が当接し、他方の壁面によって前記支持板の裏面を支承させることにより、前記支持板を所定の傾斜角で傾斜させ、かつ自立させて保持するようにしたことを特徴とする傾斜支持台、により解決することができる。
【０００７】
また、台板面に列設した複数の凹溝に被焼成物を傾斜させて支持するための支持板を挿入、保持してなる傾斜支持台であって、前記凹溝が、傾斜角が３５°以下の角度で上方に開いたテーパ状壁面を備えるとともに、そのテーパ状壁面の一方の壁面に支持板の最下端部が当接し、他方の壁面によって前記支持板の裏面を支承させることにより、前記支持板を所定の傾斜角で傾斜させ、かつ自立させて保持するようにしたことを特徴とする傾斜支持台において、前記凹溝の一方の壁面と挿入された支持板との間に形成される空間に被焼成物の下面を支承可能な上縁部を有する受くさびを嵌合させ、被焼成物の荷重により、その受くさびを下方に押圧するようにした形態に本発明をより好ましく具体化することができる。
なお、この場合、傾斜角とは垂直面に対する傾き角度をいうものとする。
【０００８】
【発明の実施の形態】
次に、本発明の実施形態を図１、２により説明する。
図１では、台板２の上面に複数の凹溝２１（図では３個）が列設してあり、そこに被焼成物３を傾斜させて支持するための支持板４を挿入、保持してなる傾斜支持台が示されている。この凹溝２１は、傾斜角が３５°以下に設定されたところの上方に開いた一方の壁面２２と他方の壁面２３とのテーパ状壁面から形成されるのであって、ここでは、一方の壁面２２は、垂直に、つまり傾斜角が０°に設定されていて、挿入された支持板４の最下端部が斜めの方向から当接している。また、他方の壁面２３は、傾斜角が３５°に設定されるとともに、前記支持板の裏面の下方部分を支承している。そして、被焼成物３は、支持板４に寄り掛からせた状態でその下端を受台２４で支えられながら支持されるのである。
【０００９】
このように、一方の壁面２２が挿入された支持板４の最下端部に当接してこれを拘束し、他方の壁面２３が支持板４の裏面部分を支えているので、このように下部を凹溝に挿入された形態の支持板４は、自重によって簡単には抜け出ることがないから、従来のような支柱を用いることなく、所定の傾斜角、こに実施形態では３５°に傾斜して保持されている。
【００１０】
したがって、この傾斜支持台では、被焼成物１４と干渉するような支柱が存在しないので、支持板１２は、焼成雰囲気に支障がない範囲の最小限の間隔ににまで接近させて配置できるのである。例えば、大略横幅３５０ｍｍ、高さ３５０ｍｍ、厚さ１５ｍｍの平板状被焼成物の場合、支持板１２、１２相互の間隔を８０ｍｍ開ける必要があったが、この実施形態ではそれを６０ｍｍ程度に縮小することができ、横方向収容効率を約３３％向上させることが可能となった。
【００１１】
また、この支持板４は、台板２の凹溝２１に挿入するだけで配置できるので、その取り付け、取り外しが極めて容易にできるという利点があるので、例えば破損した支持板４を良品と交換する、または被焼成物のサイズに合わせてサイズの異なる支持板と交換するなどのような場合に、その入替え操作が極めて容易に行えるのである。また、この傾斜支持台を倉庫などに保管するときには、台板２と支持板４を分離して効率よく別々に保管できるなどの利点もある。
【００１２】
本発明では、前記一方の壁面２２と他方の壁面２３は、垂直面からの傾き角度である傾斜角が０°〜３５°の範囲に設定される角度に傾斜させたものであることが重要である。その理由は、両壁面２２、２３の傾斜角度が３５°を超えるときは、被焼成物の収容効率が低下すると同時に挿入された支持板が凹溝２１から抜け出やすくなり、結果、傾斜角が著しく変動するようになるからである。またそのような上方に開いたテーパ壁面から形成される凹溝２１においては、壁面がゆるやかな抜き勾配となり、単純な上下ダイスが利用できる生産コストの有利なプレス成形などで比較的容易に成形できるからである。
なお、両壁面２２、２３の傾斜角を同一のものとしておくと、台板をいずれの向きにも使用できるという利点が得られる。
【００１３】
次に、図２に示す実施形態を説明すると、図１の場合には凹溝２１の一方の壁面２２と挿入された支持板４との間に空間が形成され、被焼成物３を受台２４が支えているが、この実施形態では、被焼成物３の下面に接触して下から支えながら、その空間に嵌合している受くさび５（図２の右側）を配設している。
このように構成されたものは、凹溝２１に受くさび５が嵌合されているとともに、その受くさび５が被焼成物３を支承しているからその荷重により下方に向けて押圧されているので、支持板４の上方への緩みや前後方向のがたつきなどを確実に防止することができる利点が得られる。
【００１４】
なお、本発明での傾斜支持台、特に平板部の材料としては、通常のアルミナ質、ムライト質、コージライト質等の酸化物セラミックス、さらに各種結合組織の炭化珪素質を本発明に適用することが可能であるが、耐火温度が高くかつ熱間強度が優れた金属珪素を含浸させた炭化珪素セラミックス、いわゆるＳｉ−ＳｉＣを適用するのが好ましい。この金属珪素を含浸させた炭化珪素セラミックスの場合には、通常の酸化物セラミックスや炭化珪素セラミックスに比べ１４００℃の熱間強度が３〜５倍程度強いことと、品質のバラツキが少なく信頼性が高いので強度比以上の薄肉、軽量化が可能となるからである。
【００１５】
【発明の効果】
本発明の傾斜支持台は、以上に説明したように構成されているので、支持板間に被焼成物と干渉するものが存在しないから、支持板の間隔を最小限の間隔に狭く設定することができ、収容効率を改善することが可能となる。また、その製造が容易である、支持板の交換が容易に行えるなどという優れた効果を奏する。よって本発明は、従来の問題点を解消した傾斜支持台として、その工業的価値は極めて大なるものがある。
【図面の簡単な説明】
【図１】本発明の１実施形態を説明するための要部断面図。
【図２】他の実施形態を説明するための要部断面図。
【図３】従来の傾斜支持台を示す要部側面図。
【符号の説明】
２    台板
３    被焼成物
４    支持板
５    受くさび
２１  凹溝
２２  一方の壁面
２３  他方の壁面
【図１】
0003709023.tif 000002
【図２】
0003709023.tif 000003
【図３】
0003709023.tif 000004